(57)【要約】【課題】簡易な構成にして、名刺を簡単かつ確実に撮影することができる名刺撮影補助具を提供する。【解決手段】名刺撮影補助具１は、カメラＣを用いた名刺Ｐの撮影の補助を行い、カメラＣを載置させるカメラ載置部１０と、カメラ載置部１０より下側の傾斜方向に設けられ、名刺Ｐを載置させる名刺載置部２０とを備え、カメラ載置部１０は名刺Ｐを撮影できる可能な方向に傾斜する態様でカメラＣを載置させる。名刺Ｐを簡単かつ確実に撮影することができる。しかも、カメラ載置部１０および名刺載置部２０のみであるため構成も簡易である。【選択図】図１
2012137521.tif 000002
【特許請求の範囲】
【請求項１】
撮影装置を用いた名刺の撮影の補助を行う名刺撮影補助器具であって、
撮影装置を載置させる撮影装置載置部と、
前記撮影装置載置部より下側の傾斜方向に設けられ、名刺を載置させる名刺載置部とを備え、
前記撮影装置載置部は名刺を撮影できる方向に傾斜する態様で撮影装置を載置させることを特徴とする名刺撮影補助器具。
【請求項２】
前記名刺載置部は前記撮影装置載置部により傾斜した撮影装置と対向するように名刺を傾斜させる請求項１に記載の名刺撮影補助器具。
【請求項３】
前記撮影装置載置部および前記名刺載置部を上端部に備えた上下方向に延びる略筒形状に形成され、略円筒形状の側面には縦方向に複数の折目が形成されている請求項１または請求項２に記載の名刺撮影補助器具。
【請求項４】
前記名刺撮影補助器具は紙素材からなる請求項１から請求項３のいずれかに記載の名刺撮影補助器具。  
【発明の詳細な説明】
【技術分野】
【０００１】
本発明は、撮影装置を用いた名刺の撮影の補助を行う名刺撮影補助器具に関する。
【背景技術】
【０００２】
近年、スマートフォン等のように携帯電話にカメラが備えられていることは極めて一般的である。また、そのようなカメラを備えた携帯電話の普及に伴い、カメラで撮影した画像データを活用するようなアプリケーションも次々と開発され、広く普及している。
【０００３】
このような中、ビジネスシーンでは、携帯電話のカメラを利用して名刺を撮影し、撮影した名刺の画像データを例えばＯＣＲ（Ｏｐｔｉｃａｌ  Ｃｈａｒａｃｔｅｒ  Ｒｅａｄｅｒ）機能により文字の認識を行ってデータベース化し、名刺に記載された取引先の情報を管理するようなアプリケーションなども開発されている。
【０００４】
ところが、撮影者が携帯電話のカメラで名刺を撮影する場合、名刺を机などの上に載置して撮影するか、あるいは名刺と携帯電話との両者を手に持って名刺を撮影するため、名刺とカメラとの位置を固定することができず、位置ずれや手ぶれが生じて正確に名刺を撮影することができない。また、ＯＣＲ機能は機械的に文字の認識を行うため、そのような状態で撮影された名刺の画像データでは文字の認識が行えない虞もある。
【０００５】
ところで、名刺を撮影する装置は、下記特許文献１〜４に開示されるように、従来から知られている。
【０００６】
特許文献１に開示される装置は、名刺を撮影する専用のカメラを備えた装置であり、中空状の筺体を有し、その両端部において撮影装置と名刺とを水平方向に対向するように各々固定し、筺体内で一定の明るさの環境を形成した上で名刺を撮影するというものである。
【０００７】
特許文献２に開示される装置は、特許文献１と同様、名刺を撮影する専用のカメラを備えた装置であり、撮影装置と名刺とを水平方向に対向するように各々固定して、名刺を撮影するものである。
【０００８】
特許文献３に開示される装置は、特許文献１、２の装置と同様、名刺を撮影する専用のカメラを備えた装置であり、撮影装置には名刺を保持する保持部材が設けられており、保持部材により名刺を撮影装置に水平方向に対向するように固定して名刺を撮影するものである。
【０００９】
特許文献４に開示されるデジタルカメラは、撮影するレンズ側に突出する複数の脚部（支柱）を備えており、机などの上に載置した名刺と垂直方向に対向するように脚部でデジタルカメラ本体を下方に向けた状態で支持し、名刺を上方から撮影するというものである。
【先行技術文献】
【特許文献】
【００１０】
【特許文献１】登録実用新案３０７７５７７号
【特許文献２】特開平１０−１７３９６８号公報
【特許文献３】特開平１０−２２１７６７号公報
【特許文献４】特開２０００−１０１８４号公報
【発明の概要】
【発明が解決しようとする課題】
【００１１】
しかしながら、上記特許文献１〜４に開示される装置などはいずれも構成が複雑である。従って、製造コストがかかるため装置の販売価格が高くなり、名刺を撮影するということに対するコストパフォーマンスは悪い。また、名刺を撮影する手続きも煩雑であるため、名刺撮影の段階で不便さが生じ、名刺をデータベース化するアプリケーションを活用するに至らない虞がある。
【００１２】
本発明は、簡易な構成にして、名刺を簡単かつ確実に撮影することができる名刺撮影補助器具を提供することを目的とする。
【課題を解決するための手段】
【００１３】
本発明に係る名刺撮影補助器具は、撮影装置を用いた名刺撮影の補助を行い、撮影装置を載置させる撮影装置載置部と、撮影装置載置部より下側の傾斜方向に設けられ、名刺を載置させる名刺載置部とを備え、撮影装置載置部は名刺を撮影できる方向に傾斜する態様で撮影装置を載置させることを特徴とする。これによれば、撮影装置載置部に撮影装置を載置して、名刺載置部に名刺を載置することにより、名刺を簡単かつ確実に撮影することができる。しかも、構成が簡易である。
【００１４】
また、名刺載置部は撮影装置載置部により傾斜した撮影装置と対向するように名刺を傾斜させるのが好ましい。これによれば、名刺を撮影装置に正対させることができ、名刺をより一層確実に撮影することができる。
【００１５】
また、撮影装置載置部および名刺載置部を上端部に備えた上下方向に延びる略筒形状に形成され、略円筒形状の側面には縦方向に複数の折目が形成されているのが好ましい。これによれば、不使用時には縦方向に複数の折目により略平面形状に折りたたむことができ、使用時には展開して略円筒形状にすることができる。
【００１６】
また、名刺撮影補助器具は紙素材からなるのが好ましい。これによれば、コストを低減させることができ、取り扱いも容易になる。
【発明の効果】
【００１７】
本発明によれば、撮影装置載置部に撮影装置を載置して、名刺載置部に名刺を載置することにより、名刺を簡単かつ確実に撮影することができる。しかも、撮影装置載置部および名刺載置部のみであるため構成も簡易である。
【００１８】
また、撮影装置載置部に撮影装置を載置するに際して、撮影装置の種類や大きさが限定されず、また撮影者の使い慣れた撮影装置を用いることが可能である。
【００１９】
また、撮影装置および名刺の位置も必然的に特定されるため、名刺の位置調整や撮影における手ぶれなどが生じることがない。
【００２０】
また、撮影装置が名刺の斜め上方から撮影するため、撮影装置および撮影者の影が名刺にかかることなく周囲の光を当てた状態で名刺を撮影することができる。
【００２１】
また、撮影状況の確認をするためのファインダを覗く際においても、従来のように撮影者が撮影装置の水平方向あるいは垂直方向の位置にわざわざ覗き込みに行く必要もなく、軽く見下ろす程度で良くなる。
【００２２】
また、簡易な構成であるため、ノベルティ商品や雑誌などの付録商品にも適用できる。
【図面の簡単な説明】
【００２３】
【図１】名刺撮影補助器具の斜視図である。
【図２】名刺撮影補助器具の平面図である。
【図３】名刺撮影補助器具の左側面図である。
【図４】名刺撮影補助器具の略正面図である。
【発明を実施するための形態】
【００２４】
次に、本発明に係る名刺撮影補助器具（以下「本補助器具」という）の実施形態について図面を参照しつつ説明する。
【００２５】
本補助器具１は、図１に示すように、カメラ機能および電話機能を備える携帯端末（以下「カメラ」という）Ｃと名刺Ｐとを上端部に載置させて、カメラＣによる名刺Ｐの撮影を補助するものである。
【００２６】
本補助器具１は、上下方向に延びる中空の略筒形状に形成されており、上端部においてカメラ載置部（撮影装置載置部）１０と名刺載置部２０とを備える。ここにおける本補助器具１は、段ボール箱に用いられるボール紙（紙素材）からなる。
【００２７】
なお、ここで用いられるカメラＣは、外形が矩形状で所定の厚みの略筺体であり、一方面側の略中央には名刺Ｐを撮影するためのレンズＬ、他方面側にはファインダに相当する表示部Ｄが設けられている。また、カメラＣの長手方向の長さは一般的な名刺の長手方向より長い。
【００２８】
本補助器具１は、図２に示すように、同一形状の平面部材が対向して一対をなす左面部材３１および右面部材３２と、左面部材３１および右面部材３２を前方で連結する略平面形状の前面部材３３と、左面部材３１および右面部材３２を後方で連結する略平面形状の後面部材３４とを備えており、各面部材３１〜３４を立設させて水平方向に隣接した各面部材３１〜３４の左右両端部を屈曲可能に接続することによって略筒形状に形成されている。左面部材３１と右面部材３２とが平行となるよう前面部材３３および後面部材３４は同一幅を有している。このとき、前面部材３３および後面部材３４の幅方向の長さは、名刺Ｐの長手方向の長さよりも短い。なお、以下の説明においては、左面部材３１および右面部材３２を総じて「側面部材３０」と称する。
【００２９】
側面部材３０は、図３に示すように、上端部において連続した２つのＶ字形状が前後に異なる高さで形成されている。後方側のＶ字形状は前記カメラ載置部１０であり、前方側のＶ字形状は前記名刺載置部２０である。
【００３０】
前記カメラ載置部１０は、カメラ支持端部１１とカメラ背面端部１３とによりＶ字形状が形成されている。図２に示すように、カメラ支持端部１１は左面部材３１の上端部１１ａおよび右面部材３２の上端部１１ｂにより、カメラ背面端部１３は左面部材３１の上端部１３ａおよび右面部材３２の上端部１３ｂにより構成されており、これらによって溝部１２が形成されている。また、このカメラ支持端部１１は、図３に示すように、水平に対して傾斜角θが約５０度で形成されている。
【００３１】
カメラ支持端部１１においては、各上端部１１ａ、１１ｂが平行して傾斜しているため、カメラＣのレンズＬを有する面の両端部が上端部１１ａおよび上端部１１ｂの２箇所で線接触している。従って、上端部１１ａおよび上端部１１ｂの傾斜角θに基づいてカメラＣのレンズＬのある面を安定的に支持することができる。換言すれば、カメラＣのレンズＬの向きを下側に傾斜させた図３に示すような状態で支持することができる。また、カメラＣの両端部を上端部１１ａ、１１ｂの２箇所で支持していることより、図４に示すように、レンズＬ前を遮るものがないため、カメラ支持端部１１によって支持された状態でのカメラＣは撮影が可能である。
【００３２】
カメラ背面端部１３は、図３に示すように、カメラ支持端部１１とＶ字形状を形成することにより溝部１２を形成している。従って、カメラ支持端部１１と当接するカメラＣを下方に落ちないように特定の位置で係止することができる。
【００３３】
上記のカメラ載置部１０によれば、レンズＬが下側の傾斜方向に向くようカメラＣを載置すると、溝部１２によりカメラＣが特定の位置（高さ）で係止されるとともに、カメラ支持端部１１の傾斜角θに基づいてレンズＬのある面を安定した状態で支持することができる。
【００３４】
前記名刺載置部２０は、図３に示すように、カメラ載置部１０より前方下側に配置されており、名刺支持端部２１と名刺前面端部２３とによりＶ字形状が形成されている。名刺載置部２０はカメラ載置部１０と同様、図２に示すように、名刺支持端部２１が左面部材３１の上端部２１ａおよび右面部材３２の上端部２１ｂにより、名刺前面端部２３が左面部材３１の上端部２３ａおよび右面部材３２の上端部２３ｂにより構成されており、これらによって溝部２２が形成されている。
【００３５】
また、名刺支持端部２１は、カメラ載置部１０のカメラ支持端部１１と対をなすように平行に設けられ、このカメラ支持端部１１に基づいて名刺前面端部２３が構成されている。ここにおいては、名刺支持端部２１もカメラ支持端部１１と同様、図３に示すように水平に対して傾斜角θが約５０度で構成されている。従って、情報の記載された面を上方に向けるようにして名刺支持端部２１に当接させるように名刺Ｐを載置することにより、安定した状態でカメラＣに対向するように名刺Ｐを正対させることができる。
【００３６】
前面部材３３および後面部材３４は、図２に示すように、それぞれ略中央において外側に屈曲し得るように折目３３ａおよび３４ａが形成されている。この折目３３ａ、３４ａにより、図２中の矢印Ａが示す方向に３３ａに力を、また、矢印Ａ’が示す方向に３４ａに力が加えられることにより、図２中の破線で示すように略筒形状から略平面形状に変形する。従って、不使用時には本補助器具１を略平面形状に折りたため、使用時には本補助器具１を展開して略円筒形状にすることができる。これにより、本補助器具１の携帯性や保存性を向上させることができる。
【００３７】
以上のような構成を有する本補助器具１においては、カメラ載置部１０のカメラ支持端部１１に当接させるようにレンズＬが下方に向くようしてカメラＣを載置し、名刺載置部２０の名刺支持端部２１に当接させるように撮影したい面がを上方に向くようにして名刺Ｐを載置する。これにより、カメラＣは下側の傾斜方向にある名刺Ｐに向くような状態で載置され、名刺ＰはカメラＣに正対された状態で載置される。すなわち、カメラＣおよび名刺Ｐを載置することのみで、名刺Ｐを撮影するための位置合わせなどを含むセッティングが完了する。
【００３８】
従って、あとはカメラＣのシャッターを切ることのみで、名刺Ｐを確実に撮影することができる。しかも、カメラ載置部２０および名刺載置部２０のみであるため構成も簡易である。
【００３９】
また、カメラ載置部１０にカメラＣを載置するに際して、カメラＣの種類や大きさが限定されず、また撮影者の使い慣れた撮影装置を用いることが可能である。
【００４０】
また、カメラＣおよび名刺Ｐの位置も必然的に特定されるため、名刺Ｐの位置調整や撮影における手ぶれなどが生じることがない。
【００４１】
また、カメラＣが名刺の斜め上方から撮影するため、カメラＣおよび撮影者の影が名刺Ｐにかからず、周囲の光を当てた状態で名刺Ｐを撮影することができる。
【００４２】
また、撮影状況の確認をするためのファインダを覗く際においても、従来のように撮影者がカメラＣの水平方向あるいは垂直方向の位置にわざわざ覗き込みに行く必要もなく、軽く見下ろす程度で良くなる。
【００４３】
また、簡易な構成であるため、ノベルティ商品や雑誌などの付録商品にも適用できる。
【００４４】
なお、上記の実施形態において、カメラＣがカメラ機能を備えた携帯電話である場合について説明したが、その他のカメラ機能を有するものであれば特に限定されるものではない。
【００４５】
また、カメラ載置部１０のカメラ支持端部１１および名刺載置部２０の名刺支持端部２１の傾斜角θが約５０度である場合について説明したが、傾斜角θは０度＜θ＜９０度であれば約５０度に限定されない。
【００４６】
また、カメラ載置部１０のカメラ支持端部１１および名刺載置部２０の名刺支持端部２１の傾斜角θは同一である場合について説明したが、同一でなくてもよい。要は、カメラＣが名刺Ｐを撮影できる方向に傾斜する態様で載置され、カメラＣの撮影する視野角に名刺Ｐが載置されればよい。
【００４７】
また、前面部材３３および後面部材３４における折目３３ａ、３４ａは外側に屈曲する場合について説明したが、内側に屈曲するようにしてもよい。また、折目は３つ以上であってもよい。あるいは、上記で説明した名刺撮影補助器具１であれば、各面部材３１〜３４が屈曲可能に接続されているため、折目３３ａ、３４ａがなくてもよい。    
【００４８】
また、名刺撮影補助器具１はボール紙（紙素材）により構成される場合について説明したが、プラスチックなどの硬質素材により構成されてもよい。
【００４９】
以上、図面を参照してこの発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５０】
１…名刺撮影補助器具
１０…カメラ載置部
１１…カメラ支持端部
２０…名刺支持端部
２１…名刺支持端部
３３ａ、３４ａ…折目
【図１】
2012137521.tif 000003
【図２】
2012137521.tif 000004
【図３】
2012137521.tif 000005
【図４】
2012137521.tif 000006